【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
識別情報を予め定めた順序で繰返し変動表示する複数の変動表示部を含む変動表示装置を備え、該複数の変動表示部に導出表示される表示結果が、予め定められた複数種類の特定の表示態様のうちのいずれかとなったときに遊技者にとって有利な特定遊技状態になり、前記複数種類の特定の表示態様のうちの予め定めた通常表示態様とは異なる特別表示態様となったときに前記特定遊技状態および当該特定遊技状態になりやすい特別遊技状態になる遊技機であって、
前記特定遊技状態に制御するか否かを決定する特定遊技状態決定手段と、
該特定遊技状態決定手段の決定に基づいて、前記複数の変動表示部の各々に導出表示させる表示結果を決定する表示結果決定手段と、
前記複数の変動表示部において前記識別情報の変動表示を開始させた後、前記複数の変動表示部の各々での前記識別情報の変動表示を予め定められた順序で停止し、前記複数の変動表示部の各々に前記表示結果決定手段が決定した表示結果を導出表示させる変動表示制御手段と、
前記特別遊技状態中に前記複数の変動表示部の表示結果が前記通常表示態様となったときに前記特別遊技状態を終了させる特別遊技状態終了手段と、
前記特定遊技状態決定手段が前記特定遊技状態に制御することを決定したときに、リーチ状態が成立した後に前記特定の表示態様以外のはずれ表示態様を一旦停止表示させてから、最後に表示結果が導出表示される最終変動表示部で識別情報の変動表示を再開させた後に前記特定の表示態様を導出表示させる一旦停止制御を実行する一旦停止制御手段と、
前記特別遊技状態中に前記表示結果決定手段が決定した表示結果が前記通常表示態様であるとき、前記通常表示態様の一部を構成しているリーチ状態が成立した後に前記はずれ表示態様を一旦停止表示させることなく前記通常表示態様を導出表示させることにより、前記特別遊技状態中における前記一旦停止制御の実行を禁止する一旦停止制御禁止手段とを備えることを特徴とする、遊技機。
【手続補正２】
【補正対象書類名】明細書
【補正対象項目名】０００１
【補正方法】変更
【補正の内容】
【０００１】
本発明は、識別情報を予め定めた順序で繰返し変動表示する複数の変動表示部を含む変動表示装置を備え、該複数の変動表示部に導出表示される表示結果が、予め定められた複数種類の特定の表示態様のうちのいずれかとなったときに遊技者にとって有利な特定遊技状態になり、前記複数種類の特定の表示態様のうちの予め定めた通常表示態様とは異なる特別表示態様となったときに前記特定遊技状態および当該特定遊技状態になりやすい特別遊技状態になる遊技機に関する。
【手続補正３】
【補正対象書類名】明細書
【補正対象項目名】０００２
【補正方法】変更
【補正の内容】
【０００２】
この種の遊技機として従来から一般的に知られているものに、たとえば、パチンコ遊技機のような、識別情報を有する図柄を変動表示可能な変動表示装置を有し、当該図柄の組合せが予め定められた特定の表示態様（大当り図柄の組合せ）となったときに遊技者にとって有利な特定遊技状態（大当り遊技状態）に制御可能であり、当該特定の表示態様が、予め定めた通常表示態様（たとえば、偶数を示す図柄による図柄の組合せ）とは異なる特別表示態様（たとえば、奇数を示す図柄による図柄の組合せ）であれば、当該特定遊技状態に加えて当該特定遊技状態になりやすい特別遊技状態に制御可能となるように構成されたものがある。
【手続補正４】
【補正対象書類名】明細書
【補正対象項目名】０００３
【補正方法】変更
【補正の内容】
【０００３】
このような遊技機において、特別表示態様と通常表示態様とのダブルリーチ状態が成立した場合、最後に変動表示が停止する変動表示部（以下においては、最終変動表示部とも称する）において、特別表示態様に対応する図柄と通常表示態様に対応する図柄の変動速度を変化させるもの（たとえば、特許文献１参照）があった。
【手続補正５】
【補正対象書類名】明細書
【補正対象項目名】０００５
【補正方法】削除
【補正の内容】
【手続補正６】
【補正対象書類名】明細書
【補正対象項目名】０００６
【補正方法】変更
【補正の内容】
【０００６】
この発明の目的は、遊技者に対し、特別遊技状態が継続することへの期待感を向上させることが可能な遊技機を提供することである。
【手続補正７】
【補正対象書類名】明細書
【補正対象項目名】０００７
【補正方法】変更
【補正の内容】
【０００７】
（１）  識別情報（たとえば、数字の“０”〜“９”）を予め定めた順序で繰返し変動表示する複数の変動表示部（左変動表示部９ａ、中変動表示部９ｂ、右変動表示部９ｃ）を含む変動表示装置（特別図柄表示部９）を備え、該複数の変動表示部に導出表示される表示結果が、予め定められた複数種類の特定の表示態様のうちのいずれかとなったときに遊技者にとって有利な特定遊技状態（たとえば、大当り状態）になり、前記複数種類の特定の表示態様のうちの予め定めた通常表示態様（たとえば「２２２」等のゾロ目）とは異なる特別表示態様（たとえば「７７７」等の奇数のゾロ目）となったときに前記特定遊技状態および当該特定遊技状態になりやすい特別遊技状態になる遊技機（パチンコ遊技機１）であって、
前記特定遊技状態に制御するか否かを決定する特定遊技状態決定手段と、
該特定遊技状態決定手段の決定に基づいて、前記複数の変動表示部の各々に導出表示させる表示結果を決定する表示結果決定手段（遊技制御用マイクロコンピュータ２１０、演出制御用マイクロコンピュータ３１０、表示結果決定手段３６３、Ｓ１０２、Ｓ１０３、Ｓ１０９、Ｓ１１２、Ｓ１１３、Ｓ１１９、Ｓ１２２、Ｓ１２３、Ｓ１２９、Ｓ１３９）と、
前記複数の変動表示部において前記識別情報の変動表示を開始させた後、前記複数の変動表示部の各々での前記識別情報の変動表示を予め定められた順序で停止し、前記複数の変動表示部の各々に前記表示結果決定手段が決定した表示結果を導出表示させる変動表示制御手段（ＶＤＰ３２０、変動表示制御手段３６４）と、
前記特別遊技状態中に前記複数の変動表示部の表示結果が前記通常表示態様となったときに前記特別遊技状態を終了させる特別遊技状態終了手段（演出制御用マイクロコンピュータ３１０）と、
前記特定遊技状態決定手段が前記特定遊技状態に制御することを決定したときに、リーチ状態が成立した後に前記特定の表示態様以外のはずれ表示態様を一旦停止表示させてから、最後に表示結果が導出表示される最終変動表示部で識別情報の変動表示を再開させた後に前記特定の表示態様を導出表示させる一旦停止制御を実行する一旦停止制御手段（演出制御用マイクロコンピュータ３１０）と、
前記特別遊技状態中に前記表示結果決定手段が決定した表示結果が前記通常表示態様であるとき、前記通常表示態様の一部を構成しているリーチ状態が成立した後に前記はずれ表示態様を一旦停止表示させることなく前記通常表示態様を導出表示させることにより、前記特別遊技状態中における前記一旦停止制御の実行を禁止する一旦停止制御禁止手段（演出制御用マイクロコンピュータ３１０、Ｓ１９０）とを備える。
【手続補正８】
【補正対象書類名】明細書
【補正対象項目名】０００８
【補正方法】変更
【補正の内容】
【０００８】
このような構成によれば、特別遊技状態中に、表示結果決定手段が決定した表示結果が前記通常表示態様であるとき、前記通常表示態様の一部を構成しているリーチ状態が成立した後にはずれ表示態様を一旦停止表示させることなく通常表示態様を導出表示させることにより、特別遊技状態中における一旦停止制御の実行が禁止されるので、特別遊技状態中に、通常表示態様とは異なる表示態様で、はずれとなった（すなわち、特別遊技状態の継続あり）と思った後に、通常表示態様による特定遊技状態（すなわち、特別遊技状態の継続終了）となることがなくなる。その結果、遊技者に対し、特別遊技状態が継続することへの期待感を向上させることができ、興趣の向上を図ることができる。
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】